(57)【要約】      （修正有）【課題】屋外照明柱の高さに応じて昇降装置のラックレールを自由に延長できる簡易で比較的小型軽量に構成でき、運搬、設置が容易で、安価なラックレールのせり上げ装置を提供する。【解決手段】組立柱５の途上を照明柱Ｐに沿って固定金具６で固定する。ラックレール２に可動ガイド１０を装着し、組立柱５に固定ガイド８，９及び吊り上げ装置７を取り付けて、吊り上げ装置７によりラックレール２を上方へ吊り上げる。ラックレール２は固定ガイド８，９で組立柱５に沿ってガイドされると共に、可動ガイド１０で照明柱Ｐに沿ってガイドされつつ引き上げられ、吊り上げたラックレール２の下端に延長レールを接続できる。接続後、ラックレール２を組立柱５にレールクランプ１１で固定し、固定ガイド８と共に吊り上げ装置７及び固定ガイド９を取り外し、さらに各可動ガイド１０のストッパを締め込んでラックレール２を照明柱Ｐに固定する。【選択図】図１
2006264801.tif 000002
【特許請求の範囲】
【請求項１】
作業者を乗せた昇降機を屋外照明柱に沿って昇降させるための縦方向に延びる昇降機用ラックレールを、照明柱の高さに応じてレール材を継ぎ足して組み上げるためのせり上げ装置において、
前記照明柱に沿って延びて照明柱に固定される組立柱と、
前記ラックレールを上方へ吊り上げる吊り上げ手段と、
前記ラックレールを前記照明柱に沿って移動させるようにガイドするガイド手段と、
前記ラックレールを吊り上げて最下段のレール材を接続してから前記組立柱に固定するレール固定手段とを具備することを特徴とする昇降機用レールせり上げ装置。
【請求項２】
前記組立柱の途上に前記昇降機の移動を妨げることなく取り付けられ、照明柱周りを把持して照明柱に組立柱を固定する固定金具を具備することを特徴とする請求項１に記載の昇降機用レールせり上げ装置。
【請求項３】
前記吊り上げ手段は、組立柱の途上に取り付けられ、ラックレールに係止された吊りワイヤを巻き取る着脱可能なウィンチと、
前記組立柱の上部に取り付けられ、前記ウィンチから繰り出された吊りワイヤの途上が掛け回され、吊りワイヤの端部をラックレールに案内する回転自在に支持された着脱可能なシーブとを具備することを特徴とする請求項１に記載の昇降機用レールせり上げ装置。
【請求項４】
前記ガイド手段は、組立柱の途上に取り付けられ、前記ラックレールにおける対向面をそれぞれ転動する回転自在に支持された少なくとも一対の着脱可能なガイドローラを備えていることを特徴とする請求項１に記載の昇降機用レールせり上げ装置。
【請求項５】
前記ガイド手段は、前記昇降機の移動を妨げることなく前記ラックレールに設けられ、前記照明柱上を長手方向に転動するように回転自在に支持され、照明柱周りを囲む一方、照明柱を内部に受け入れるように少なくとも一部が開放可能に連結される複数のガイドローラを具備することを特徴とする請求項１に記載の昇降機用レールせり上げ装置。
【請求項６】
前記ガイドローラは、照明柱の径に応じて半径方向に位置調整可能に支持されていることを特徴とする請求項５に記載の昇降機用レールせり上げ装置。
【請求項７】
前記ガイドローラの移動を阻止して照明柱に固定するように照明柱に係合可能なストッパを備え、せり上げ後のラックレールの最下段のレール材を照明柱に固定することを特徴とする請求項５に記載の昇降機用レールせり上げ装置。
【発明の詳細な説明】
【技術分野】
【０００１】
本発明は、ほぼ垂直に立てられた屋外照明柱に沿って上下に移動し、作業者を昇降させて、照明柱上の電球交換や器具点検等を行うための昇降装置におけるラックレールを、照明柱の高さに対応する長さに調整して組み上げるためのせり上げ装置に関するものである。
【背景技術】
【０００２】
従来、ステップ等の昇降設備が取り付いていない屋外照明柱上の電球交換や器具点検を作業行うときには、高所作業車を使用している。この高所作業車が乗り入れできない場所にある照明柱にははしごを主に使用する。屋外照明柱のための専用の昇降装置は出願人の知る限りにおいてないが、例えば鉄塔を昇降するのに用いる昇降装置がある（特許文献１参照）。
【特許文献１】特開２００２−８７７３３号公報
【発明の開示】
【発明が解決しようとする課題】
【０００３】
上記従来の方法によると、高所作業車に搭載する装置自体の設備が大がかりとなり、専用の車両を必要とし、高価となり、作業コストに反映されるし、作業車の乗り入れできないところで使用できず、装置のみを車両から分離して使用することも困難である。はしごを照明柱に固縛しての高所作業は危険が伴うし、照明柱の高さに応じてはしごをその都度選択しなければならず、長さを自由に変更できない。
そこで、本発明は、簡易で比較的小型軽量に構成でき、装置自体の運搬、設置が容易で、安価な昇降装置を屋外照明柱に適用するため、昇降高さを照明柱に応じて容易に調整して組み上げることができ、構成も簡易な昇降機用ラックレールのせり上げ装置を提供することを課題としている。
【課題を解決するための手段】
【０００４】
上記課題を解決するため、第１の発明においては、作業者を乗せた昇降機３を屋外照明柱Ｐに沿って昇降させるための昇降装置１の縦方向に設置されるラックレール２の長さを照明柱Ｐの高さに対応するようにレール材を継ぎ足して調整しながら組み上げるためのせり上げ装置４を設ける。ラックレール２をせり上げるための組立柱５は照明柱Ｐに沿って上下方向に固定し、これにラックレール２を上方へ吊り上げる吊り上げ手段７を設け、またラックレール２を照明柱Ｐに沿って引き上げるようにガイドするガイド手段を設け、さらにラックレール２を吊り上げてレール延長材を次々に接続してから、ラックレール２の最下段を組立柱５に固定するレール固定手段を設けた。
第２の発明においては、組立柱Ｐの途上に、昇降機３の移動を妨げることなく、照明柱Ｐ周りを把持して照明柱Ｐに組立柱５を固定する固定金具６を取り付けた。
第３の発明においては、吊り上げ手段７を、ラックレール２に係止された吊りワイヤ１４を巻き取る着脱可能なウィンチ１２を組立柱５の途上に取り付け、ウィンチ１２から繰り出された吊りワイヤ１４の途上を掛け回し、吊りワイヤ１４の端部をラックレール２に案内する回転自在に支持された着脱可能なシーブ１３を組立柱５の上部に取り付けて構成した。
第４の発明においては、せり上げ時のラックレール２のガイド手段に、組立柱５の途上に取り付けて、ラックレール２における対向面をそれぞれ転動する回転自在でかつ着脱可能な一対のガイドローラ８ａ，９ａを設けた。
第５の発明においては、ガイド手段に、昇降機３の移動を妨げることなくラックレール２に設けられ、照明柱Ｐ上を長手方向に転動するように回転自在に支持され、照明柱Ｐ周りを囲む一方、照明柱Ｐを内部に受け入れるように少なくとも一部が開放可能に連結される複数のガイドローラ１８，１９を設けた。
第６の発明においては、ガイドローラ１９を、照明柱Ｐの径に応じて半径方向に位置調整可能に支持した。
第７の発明においては、ガイドローラ１８，１９の移動を阻止して照明柱Ｐに固定するように照明柱Ｐに係合可能なストッパ２１，３３を設けた。  
【発明の効果】
【０００５】
本発明においては、昇降機用ラックレールを組み上げるためのせり上げ作業を簡便で安全に行え、昇降機用レールを容易に延長でき、屋外照明柱の高さに応じて昇降機を昇降させることができる。せり上げ装置自体の構成が簡易で運搬、設置に好都合である。昇降機用ラックレールのせり上げ作業時のガイド手段を、ラックレールの延長後、レールの固定手段に兼用することができ、ラックレールが確実に固定される。
【発明を実施するための最良の形態】
【０００６】
図面を参照して本発明の実施の形態を説明する。
図１において、昇降装置１は、ラックレール２に昇降機３が係合して、モータの駆動で昇降するものである。ラックレール２は、屋外照明柱Ｐに沿って延長方向に固定される。このラックレール２は長尺のＨ型鋼から成る複数のレール材で構成され、照明柱Ｐの高さに応じて中間のレール材を必要数接続することにより長さを調整できる。最下段のレール材には昇降機３を取り付けるための図示しない切欠きと昇降機３の下限ストッパが、最上段のレール材には昇降機３の上限ストッパが設けられている。ラックレール２のウェブには長手方向に等間隔のラック孔２ａが一列に多数設けられている。昇降機３は作業者が乗ることができるケーシング内に、昇降動作を担当する駆動部と、非常時の下降停止動作を担当する制動部とが組み込まれている。駆動部は、駆動スプロケットをラックレール２のラック孔２ａに係合させてモータの回転により昇降機３を昇降させる。
【０００７】
せり上げ装置４は、図２，図３に示すように、照明柱Ｐの下部に沿って上下方向に固定される組立柱５と、この組立柱５の途上複数カ所に固定され、照明柱Ｐを抱持する固定金具６と、ラックレール２を上方へ引き上げる吊り上げ装置７と、組立柱５に固定されてラックレール２を組立柱５に沿ってガイドする固定ガイド８，９と、ラックレール２と共に移動してラックレール２を照明柱Ｐに沿ってガイドする可動ガイド１０と、せり上げ後のラックレール２の最下段のレール材を組立柱５に固定するレールクランプ１１とを具備している。
【０００８】
組立柱５は、照明柱Ｐの下端付近に載置されるベースプレート５ａに下端が固定され、間隔を置いて照明柱Ｐに沿って上方にそれぞれ延びる一対のアングル鋼材で構成されたライナプレート５ｂ，５ｂとを具備する。
【０００９】
固定金具６は、図４、図５に示すように、一端がライナプレート５ｂにそれぞれ固定される対向したほぼ水平に突出する一対の支持片６ａ，６ａと、支持片６ａの他端に一方が固着され、照明柱Ｐ周りを抱持するように照明柱Ｐを挟んで他方が対向し互いにボルト止めされる一対の把持バンド６ｂ，６ｂとで構成される。把持バンド６ｂ，６ｂは照明柱Ｐの径に応じて四箇所の接点で強固に把持できるようにそれぞれ略くの字状を成し、両端部同士がボルトで締め付けられる。
【００１０】
吊り上げ装置７は、図２，図３に示すように、組立柱５のほぼ中間の高さ位置にボルト止めされるウィンチ１２と、組立柱５の上端部に固定されるシーブ１３と、ウィンチ１２から繰り出されてラックレール２に連結される吊りワイヤ１４とを具備する。ウィンチ１２は、ハンドル操作により手動でドラムに吊りワイヤ１４を巻き取ってラックレール２を引き上げるように構成されている。シーブ１３は、図６乃至図８に示すように、ラックレール２を跨いでライナプレート５ｂにボルト止めされる架台１３ａから水平に突出したブラケット１３ｂに回動自在に支持される。シーブ１３には吊りワイヤ１４を受け入れるための環状溝を有する。シーブ１３の架台１３ａには、横方向に吊下げピン１３ｃを自由に挿入することができる貫通孔を有し、この吊下げピン１３ｃが架台１３ａをラックレール２もろとも貫通することにより、吊り上げたラックレール２を一時的に仮保持して、レール材の接続作業を行う。吊りワイヤ１４の端部はラックレール２の接続部に取り付けられる係止金具１５に係止される。レール材の接続後、吊りワイヤ１４の端部が連結された係止金具１５を接続したレール材の下部に付け代えることで順次せり上げ作業を行う。なお、吊り上げ装置７は、使用後、ラックレール２上の昇降機３の移動を妨げないように取り外される。
【００１１】
シーブ１３の架台１３ａには、図６乃至図８に示すように、固定ガイド８が設けられている。固定ガイド８は、架台１３ａの下部に突設されたブラケット８ｂ，８ｃにガイドローラ８ａ，８ａが回転自在に支持されている。一方のガイドローラ８ａは、ラックレール２の一方のフランジ２ｂ上を転動し、他方のガイドローラ８ａは、ラックレール２の一方のフランジ２ｂの両側縁上を転動するように配置されている。
【００１２】
固定ガイド９は、組立柱Ｐの途上の異なる位置に二カ所それぞれ設けられている。図９乃至図１１に示すように、固定ガイド９は、ラックレール２の他方のフランジ２ｂの前後に配置され表裏両面に接して転動する一対のガイドローラ９ａ，９ａを備えている。ガイドローラ９ａ，９ａは、両端部がライナプレート５ｂ，５ｂにボルト止めされる取付け板９ｃの上下位置に突設されたブラケット９ｂ，９ｂに回転自在に支持される。
【００１３】
可動ガイド１０は、図１２に示すように、ラックレール２に固定するための固定部材１６と、固定部材１６に支持されて照明柱Ｐ周りを囲む環状部材１７を備えている。固定部材１６は、一端部にラックレール２の両側フランジ２ｂ，２ｂの縁部を受け入れる対向一対のフック片１６ａ，１６ａと、これらフック片１６ａ，１６ａ間に一体にボルト止めされる断面略Ｔ字状の支持片１６ｂとを有する。
環状部材１７は、支持片１６ｂに固定される環状の枠体１７ａと、この枠体１７ａに両端部同士がボルト止めされる位置調整部材２０とを備えている。枠体１７ａには、内側へ向かって突設された二つのブラケット１７ｂにガイドローラ１８がそれぞれ回転自在に支持されている。位置調整部材２０には内側へ向かって突設されたブラケット１７ｂに調整ガイドローラ１９が回転自在に支持されている。ガイドローラ１８は、枠体１７ａにおける支持片１６ｂの固着端の両側に照明柱Ｐに接するように互いにほぼ直角に配置される。
枠体１７ａにはラックレール２を組み上げてから環状部材１７を照明柱Ｐに固定するためにねじ軸の螺合位置を変更して先端を照明柱Ｐに押し当て可能なストッパ２１が設けられている。
調整ガイドローラ１９は二つのガイドローラ１８，１８と協働して照明柱Ｐを囲むように配置され、照明柱Ｐの周壁を受け入れるように径が両端部から中央に向かって窄まっている。
位置調整部材２０は、枠体１７ａと共に照明柱Ｐを取り囲むように枠体１７ａの両端部にボルト止めされて着脱可能な固定枠２２と、この固定枠２２に照明柱Ｐに対して進退可能に取り付けられる調整枠２３とを備えている。調整枠２３には、調整ガイドローラ１９を支持するブラケット１７ｂが突設されており、固定枠２２との間に調整ガイドローラ１９を照明柱Ｐ側へ押し出す圧縮された押しばね２５が介在している。押しばね２５は固定枠２２に設けられた円筒状のばねガイド２７に保持され、伸縮方向をガイドボルト２４により案内される。固定枠２２には止めピン２６を調整枠２３の調整孔２３ａもろとも貫通させて調整枠２３を照明柱Ｐに向かってわずかに移動可能に係止するための複数の長孔２２ａを有する。
【００１４】
なお、照明柱Ｐが段付きポールの場合、図１３に示すように、可動ガイド２８は、先と同様にラックレール２に固定するための固定部１６と、固定部１６に支持されて照明柱Ｐ周りに取り囲む環状部２９とを備えている。
環状部２９は、支持片１６ｂに固定される矩形の支持枠３０と、支持枠３０に回転自在に支持されて前後に対向する一対のローラ３１，３２と、支持枠３０に移動可能に固定されるストッパ３３とを備えている。支持枠３０は、ローラ３１，３２間を開放可能にボルト止めされる二つの分割枠３０ａ，３０ｂで構成される。ストッパ３３は、環状部２９を照明柱Ｐに固定するために先端が照明柱Ｐに臨み、分割枠３０ａに固定された支持片３２ａに螺合して支持される。
【００１５】
レールクランプ１１は、図１４乃至図１６に示すように、ライナプレート５ｂの途上複数カ所に取り付けられる。レールクランプ１１はライナプレート５ｂ，５ｂ間を渡り、両端部をライナプレート５ｂにボルト止めされる横板１１ａと、横板１１ａとの間にラックレール２の両側取付けフランジ２ｂの縁部をそれぞれ受け入れて横板１１ａにボルト止めする二つのクランプ片１１ｂとを有する。
【００１６】
このせり上げ装置４においては、昇降装置１のラックレール２を設置するに当たり、照明柱Ｐに設置する。まずライナプレート５ｂを照明柱Ｐに沿わせるように配置してから、ベースプレート５ａを照明柱Ｐのベースプレートに載せ置き、アジャストボルトで地面からの高さを調整して平行にし、組立柱５の途上複数箇所を固定金具６で照明柱Ｐに固定する。また、先端側のラックレール２に可動ガイド１０を装着してから、組立柱５に固定ガイド８及び吊り上げ装置７を取り付ける。そして、吊り上げ装置７によりラックレール２を上方へ吊り上げると、ラックレール２が固定ガイド８，９及び可動ガイド１０にガイドされて組立柱５及び照明柱Ｐに沿って引き上げられる。ラックレール２を所定の高さ位置まで吊り上げたら、シープ１３の架台１３ａにラックレール２もろとも吊下げピン１３ｃを貫通させることにより、ラックレール２を仮留めする。そのラックレール２の下端部にレール材を配置して接続金具で接続する。それから、吊りワイヤ１４を繰り出しながら係止金具１５を、接続したレール材の下端部に付け代えると共に、吊下げピン１３ｃを抜き取り、新たなレール材を順次接続していく。最後にラックレール２の最下段を組立柱５にレールクランプ１１で固定してから、固定ガイド８と共に吊り上げ装置７及び固定ガイド９を取り外す。
【００１７】
可動ガイド１０は、吊り上げ前のラックレール２に固定部材１６を固定してから、環状部材１７の枠体１７ａを開放して照明柱Ｐ周りに装着する。枠体１７ａはボルトを外せば環状部材１７が開放するので照明柱Ｐを環状部材１７内に配置できる。調整ローラ１９は固定ローラ１８，１８と共に照明柱Ｐを取り囲むように位置調整部２０で径方向の位置を調整する。調整ローラ１９の位置は固定枠２２に対する調整枠２３の固定位置を止めピン２６を差し込む調整孔２２ａ，２３ａの選択により適宜調整する。また、調整ローラ１９はガイドボルト２４を適宜移動させて押しばね２５の圧縮長により照明柱Ｐに押し当てる力を調整できる。従って、調整ローラ１９は照明柱Ｐに適切な力で押しつけられるので、固定ローラ１８と共に、照明柱Ｐを挟み込みながら、照明柱Ｐに沿って転動してラックレール２の上下動を円滑にガイドする。ラックレール２をせり上げたら、ラックレール２に沿って昇降機３を上昇させていく途上で、各可動ガイド１０のストッパ２１を締め込んで照明柱Ｐに固定する。
【００１８】
照明柱Ｐが段付きポールの場合には、支持枠３０を開放してローラ３１，３２間に照明柱Ｐを配置し、ねじ止めして固定すればよい。ねじ止めにより分割枠３０ａ，３０ｂ間を調整できるのでポールの径に対応できる。
【産業上の利用可能性】
【００１９】
本発明は、屋外照明柱に、作業者を昇降させるための昇降装置の昇降レールの高さを調整して組み上げるのに有効である。
【図面の簡単な説明】
【００２０】
【図１】昇降装置の正面図である。
【図２】本発明に係るせり上げ装置の正面図である。
【図３】せり上げ装置の側面図である。
【図４】固定金具の正面図である。
【図５】固定金具の平面図である。
【図６】シーブの正面図である。
【図７】シーブの側面図である。
【図８】シーブの底面図である。
【図９】ガイド部材の正面図である。
【図１０】ガイド部材の平面図である。
【図１１】ガイド部材の底面図である。
【図１２】ガイド環体の平面図である。
【図１３】他の実施例にガイド環体の平面図である。
【図１４】レールクランプの正面図である。
【図１５】レールクランプの側面図である。
【図１６】レールクランプの底面図である。
【符号の説明】
【００２１】
１    昇降装置
２    ラックレール
３    昇降機
４    せり上げ装置
Ｐ    照明柱
５    組立柱
５ｂ  ライナプレート
６    固定金具
６ａ  支持片
６ｂ  把持バンド
７    吊り上げ装置
８    固定ガイド
８ａ  ガイドローラ
９    固定ガイド
９ａ  ガイドローラ
１０    可動ガイド
１１    レールクランプ
１２    ウィンチ
１３    シーブ
１４    吊りワイヤ
１６    固定部材
１７    環状部材
１８    ガイドローラ
１９    ガイドローラ
２０    位置調整部
２１    ストッパ
２２    固定枠
２２ａ  調整孔
２３    調整枠
２３ａ  調整孔
２４    ガイドボルト
２５    押しばね
２６    止めピン
２８    可動ガイド
３０ａ  分割枠
３０ｂ  分割枠
３３    ストッパ
【図１】
2006264801.tif 000003
【図２】
2006264801.tif 000004
【図３】
2006264801.tif 000005
【図４】
2006264801.tif 000006
【図５】
2006264801.tif 000007
【図６】
2006264801.tif 000008
【図７】
2006264801.tif 000009
【図８】
2006264801.tif 000010
【図９】
2006264801.tif 000011
【図１０】
2006264801.tif 000012
【図１１】
2006264801.tif 000013
【図１２】
2006264801.tif 000014
【図１３】
2006264801.tif 000015
【図１４】
2006264801.tif 000016
【図１５】
2006264801.tif 000017
【図１６】
2006264801.tif 000018